(57)【要約】【課題】物品の搬入・搬出時などにおいて、物品の現在の状態のみならず、保管・搬送中における物品の状態の経時的な記録を行う記録センサ、並びにこの記録センサを読み取ることができる読み取り装置を提供する。【解決手段】物品の状態を継続的に記録する記録センサを搬送中の物品の中に付属させるとともに、物品の搬入・搬出時において前記記録センサの記録データを読み取り装置にて取得することにより、搬送中における物品の状態の経時的な履歴情報が得られる。【選択図】  図１
2004345826.tif 000002
【特許請求の範囲】
【請求項１】
物品に付された物品の識別情報を読み取る識別情報読み取り手段と、
物品に付属された記録センサに記録されたデータを読み取るセンサ読み取り手段と、を備え、
前記記録センサから読み取ったデータを、前記物品の識別情報と関連付けて記憶する読み取り装置。
【請求項２】
物品の外観を撮像する撮像手段をさらに備えており、撮像データを前記物品の識別情報と関連付けて記憶することを特徴とする請求項１に記載の読み取り装置。
【請求項３】
前記記録センサから読み取ったデータ又は前記撮像データを、前記物品の識別情報とともに表示する表示手段をさらに備えていることを特徴とする請求項２に記載の読み取り装置。
【請求項４】
前記識別情報読み取り手段は、バーコードリーダであり、物品に付された物品の識別情報を含むバーコードを読み取ることを特徴とする請求項１から３のいずれか１項に記載の読み取り装置。
【請求項５】
ネットワークを通じてサーバと通信可能な通信手段をさらに備えており、
前記記録センサから読み取ったデータ及び前記撮像データを、前記物品の識別情報と関連付けて、前記サーバに送信することを特徴とする請求項１から４のいずれか１項に記載の読み取り装置。
【請求項６】
前記記録センサは、物品の状態を検知するセンサ部と、検知データを継続的に記録するメモリと備えており、
前記センサ読み取り手段は、前記メモリの記録データを読み取ることを特徴とする請求項１から５のいずれか１項に記載の読み取り装置。
【請求項７】
前記メモリは、さらに、前記記録センサが付属される物品の情報を記録しており、
前記センサ読み取り手段は、前記メモリに記録された前記物品の情報を読み取ることを特徴とする請求項６に記載の読み取り装置。
【請求項８】
前記センサ部は、物品の温度を検知する温度センサであり、前記センサ読み取り手段は、前記メモリに記録された前記物品の温度データを読み取ることを特徴とする請求項６に記載の読み取り装置。
【請求項９】
前記センサ部は、物品の湿度を検知する湿度センサであり、前記センサ読み取り手段は、前記メモリに記録された前記物品の湿度データを読み取ることを特徴とする請求項６に記載の読み取り装置。
【請求項１０】
前記センサ部は、物品に加えられた衝撃を検知する衝撃センサであり、
前記センサ読み取り手段は、前記メモリに記録された前記物品の衝撃データを読み取ることを特徴とする請求項６に記載の読み取り装置。
【請求項１１】
物品に付された物品の識別情報を読み取る識別情報読み取り手段と、
物品に付属された記録センサに記録されたデータを読み取るセンサ読み取り手段と、
物品の外観を撮像する撮像手段と、を備え、
前記記録センサから読み取ったデータ及び前記撮像データを、前記物品の識別情報と関連付けて記憶する読み取り装置と通信可能なサーバ装置であって、
前記読み取り装置から受信した前記記録センサのデータ、前記撮像データ及び前記物品の識別情報を、関連付けて記憶するデータベースと、
前記記録センサのデータに基づいて、物品の品質を評価する品質評価部を備えていることを特徴とするサーバ装置。
【請求項１２】
物品の外観及び物品に付された物品の識別情報を撮像する撮像手段と、
物品に付属された記録センサに記録されたデータを読み取るセンサ読み取り手段と、を備えたカメラ付き携帯端末であって、
前記記録センサから読み取ったデータ及び前記撮像データを、前記物品の識別情報と関連付けて記憶することを特徴とするカメラ付き携帯端末。
【請求項１３】
前記物品に付された物品の識別情報はバーコードであり、前記カメラ付き携帯端末は、バーコードの撮像データからバーコードに含まれる前記物品の識別情報を取得する画像処理プログラムを備えていることを特徴とする請求項１２に記載のカメラ付き携帯端末。
【請求項１４】
物品の外観を撮像する撮像手段と、
物品に付された物品の識別情報を読み取る識別情報読み取り手段と、
物品に付属された記録センサに記録されたデータを読み取るセンサ読み取り手段と、を備えたカメラ付き携帯端末であって、
前記記録センサから読み取ったデータ及び前記撮像データを、前記物品の識別情報と関連付けて記憶することを特徴とするカメラ付き携帯端末。
【請求項１５】
前記識別情報読み取り手段は、バーコードリーダであり、物品に付された物品の識別情報を含むバーコードを読み取ることを特徴とする請求項１４に記載のカメラ付き携帯端末。
【請求項１６】
ネットワークを通じてサーバと通信可能な通信手段をさらに備えており、
前記記録センサから読み取ったデータ及び前記撮像データを、前記物品の識別情報と関連付けて、前記サーバに送信することを特徴とする請求項１２〜１５のいずれか１項に記載のカメラ付き携帯端末。
【請求項１７】
物品の外観及び物品に付された物品の識別情報を撮像する撮像手段と、
物品に付属された記録センサに記録されたデータを読み取るセンサ読み取り手段と、を備えたカメラ付き携帯端末であって、
前記記録センサから読み取ったデータ及び前記撮像データを、前記物品の識別情報と関連付けて記憶することを特徴とするカメラ付き携帯端末と通信可能なサーバ装置であって、
前記カメラ付き携帯端末から受信した前記記録センサのデータ、前記撮像データ及び前記物品の識別情報を、関連付けて記憶するデータベースと、
前記記録センサのデータに基づいて、物品の品質を評価する品質評価部を備えていることを特徴とするサーバ装置。
【請求項１８】
前記品質評価部は、前記記録センサのデータに含まれる物品の温度データと、所定の保管温度基準とを比較して、物品の品質を評価することを特徴とする請求項１１又は１７に記載のサーバ装置。
【発明の詳細な説明】
【０００１】
【発明の属する技術分野】
本発明は、物流過程において搬送される物品の状態を読み取る装置に関し、特に、搬送中に物品の温度等の状態に関する情報を経時的に記録する記録センサを物品に同梱しておき、この記録センサで測定する瞬間温度情報、及び記録された情報を読み取るための装置に関するものである。
【０００２】
【従来の技術】
物流過程において物品を搬送するにあたっては、搬送車への積み込み及び積み下ろし、搬送車による移動、保管庫での一時的な保管などを行う際に、搬送物品を損傷しないように注意を払わなければならない。特に、食品等の搬送にあたっては、搬送中、温度・湿度等を一定に保つことにより品質劣化を防ぎ、食中毒や細菌感染などが起こるのを防止することが重要である。このため、食品の搬送車には冷蔵車や冷凍車を用い、保管庫には冷凍倉庫や冷蔵倉庫などを用いるのが一般的である。
【０００３】
食品の他にも、薬品、動植物、精密機器など様々な物品の搬送においても、物品の保管倉庫内及び物品を搬送する搬送車両内の温度・湿度等を一定に保つよう管理し、また移動させる際には衝撃などを与えないように注意して取り扱い、搬送・保管中に品質劣化や破損等の事故が起こるのを防いでいる。
【０００４】
それにも関わらず、流通過程において温度・湿度等の管理に失敗し品質が劣化してしまった物品や、運搬時に衝撃を受けて損傷してしまった物品が小売市場に流通してしまうのを防ぐために、保管倉庫と搬送車との間での積み込み及び積み下ろし作業の際に、物品の状態を検査することが一般的に行われている。
【０００５】
特に、搬送物品の最終到達地点である小売店舗などにおいて物品を搬入する際には、物品の状態を検査し、劣化したり損傷したりした物品を取り除くことが重要である。ここで、物品の状態の検査とは、物品の温度を測定したり、物品の外観にキズなどが生じていないか検査したりすることを含んでいる。
【０００６】
図１０及び図１１は、従来用いられていた物品の状態を検査するための装置類及びこれを含んだシステムの構成を概略的に示す図である。
図１０に示す例では、物品の梱包箱１０１０の表面に記されたバーコード１０１２を読み取るハンディターミナル１０２０と、物品の梱包箱１０１０の表面から放射される熱を測定する放射温度計１０３０とを用いて、物品の温度測定データを物品の識別情報と関連付けて記録する装置が用いられている。放射温度計１０３０により測定された温度測定データは、放射温度計１０３０の表示部１０３２に表示されるとともに、有線又は無線によりハンディターミナル１０２０に送信され、記録用紙１０３４に印刷されるようになっている。
【０００７】
ハンディターミナル１０２０は、表示部１０２２及びキーパッド１０２４を備えており、放射温度計１０３０から受信した温度測定データを物品の識別情報と関連付けて表示部１０２２に表示することができるようになっている。また、ハンディターミナル１０２０は、これらの情報をアクセスポイント１０４０に無線送信する機能を備えており、アクセスポイント１０４０は、受信した情報を、通信ネットワーク１０５０を通じてサーバ１０６０に送信するようになっている。このようにして、物品の識別情報と関連付けられた物品の温度測定データは、サーバ１０６０において記録され管理されるようになっている。
【０００８】
図１１に示す例では、さらに、ハンディターミナル１０２０がバーコード読み取り機能と放射温度計１０３０の機能とを兼ね備えていることを特徴としており、バーコード１０１２の読み取り動作行うと同時に、物品の梱包箱１０１０の表面温度も測定することができるようになっている。
【０００９】
上記のようなハンディターミナル１０２０及び放射温度計１０３０を用いることにより、物品の搬入時及び搬出時に物品の梱包箱単位で温度測定を行うことにより、所定の保管温度が保たれていない物品が検出された場合には廃棄等の処理を行い、そのような物品を流通過程から取り除くことが可能となる。
【００１０】
さらに他の例として、特許文献１には、温度検出手段によって検出された温度を測定時間と共に記憶し、記憶されデータＤＳ１を上位のコンピュータに送出する温度履歴検出装置と、入力手段から入力された少なくとも作業者ＩＤ、生産設備情報、及び生産品情報のデータと時刻とを連係したデータを上位のコンピュータに送出する携帯型データ入力装置と、両装置から受けたデータに基づいて生産品毎に時系列的に温度履歴、作業者及び生産設備を編集して記録媒体に記録する制御手段を具備した温度履歴収集装置とを備えた食品生産情報収集管理システムが開示されている。
【特許文献１】
特開１１−１６０１６０号公報
【００１１】
【発明が解決しようとする課題】
一般的に、食品などの一定温度で保管される物品の搬送においては、搬送車内及び保管倉庫内を一定温度に保つよう管理されているが、箱内の商品温度の温度変化等にまでは注意を払うことができない。このため、例えば、物品を搬送車両で搬送中に、一部の物品が所定温度以上になって劣化してしまった後、再び保管倉庫内で保管されている間に所定温度に戻るようなケースが起こり得る。
【００１２】
しかしながら、上記した装置類又はシステムでは、ハンディターミナル等により物品に対して読み取り動作を行った時に、その時点での物品の状態が検知できるのみであり、それ以前の物品の状態を知ることはできない。特に、搬送物品が食品等である場合には、劣化が進んだ製品が市場に流通してしまうのを防ぐことが重要であるが、単に搬入・搬出時に温度等を測定するのみでは、上記したようなケースでは、十分な効果が得られないと考えられる。
【００１３】
そこで本発明は、このような実情に鑑みて、箱内（物品内）に物品の状態を検知できるセンサを封入することにより、物品の搬入・搬出時などにおいて、物品の現在の状態のみならず、搬送中における物品の状態の経時的な記録を行う記録センサ、並びにこの記録センサを読み取ることができる読み取り装置を提供しようとするものである。
【００１４】
また、上記の読み取り装置により読み取られたデータを、ネットワークを通じて受信し、このデータに基づいて物品の品質を管理することができるサーバを備えた管理システムを提供しようとするものである。
【００１５】
【課題を解決するための手段】
上記解決課題に鑑みて鋭意研究の結果、本発明者は、物品の状態を継続的に記録する記録センサを搬送中の物品の中に付属させるとともに、物品の搬入・搬出時において前記記録センサの記録データを読み取り装置にて取得することにより、搬送中における物品の状態の経時的な履歴情報が得られることに想到した。
【００１６】
すなわち、本発明は、物品に付された物品の識別情報を読み取る識別情報読み取り手段と、物品に付属された記録センサに記録されたデータを読み取るセンサ読み取り手段と、を備え、前記記録センサから読み取ったデータを、前記物品の識別情報と関連付けて記憶する読み取り装置を提供するものである。
【００１７】
本発明の読み取り装置は、また、物品の外観を撮像する撮像手段をさらに備えており、撮像データを前記物品の識別情報と関連付けて記憶することを特徴とする。
これにより、記録センサに記録された物品状態の履歴情報のみならず、読み取り動作を行った時（通常は搬入・搬出時）における物品の外観を撮像データとして取得することができるので、物品の外観に表れる物品状態の劣化などをモニタすることも可能となる。そして、商品劣化状況がビジュアルに荷主、客先に配信する事が可能となり業務のスピードアップにつながる。
【００１８】
本発明の読み取り装置は、また、前記記録センサから読み取ったデータ又は前記撮像データを、前記物品の識別情報とともに表示する表示手段をさらに備えていることを特徴とする。
これにより、読み取り装置において、物品状態のデータ及び撮像データを物品ごとに効率良く記憶し表示することが可能となる。
【００１９】
本発明の読み取り装置において、前記識別情報読み取り手段は、レーザー方式や赤外線方式などによるバーコードリーダであり、物品に付された物品の識別情報を含むバーコードを読み取ることを特徴とする。また、２次元バーコードを用いることもできる。
【００２０】
物品の表面又は物品の梱包箱表面などに当該物品に関する情報を含んだバーコードを付することが一般的に行われているので、上記のようにバーコードリーダを備えることにより、物品の識別情報を容易に取得することができる。
【００２１】
本発明の読み取り装置は、また、ネットワークを通じてサーバと通信可能な通信手段をさらに備えており、前記記録センサから読み取ったデータ及び前記撮像データを、前記物品の識別情報と関連付けて、前記サーバに送信することを特徴とする。
【００２２】
各地で読み取り装置により取得される物品の状態に関するデータを前記サーバに集中させることにより、広範囲にわたって流通する物品の状態を一元的に管理することが可能となる。
【００２３】
本発明の読み取り装置において、前記記録センサは、物品の状態を検知するセンサ部と、検知データを継続的に記録するメモリと備えており、前記センサ読み取り手段は、前記メモリの記録データを読み取ることを特徴とする。
【００２４】
記録センサがメモリを備えることにより、センサ部での検知データを蓄積しておくことが可能となる。また、前記メモリは、さらに、前記記録センサが付属される物品の情報を記録していてもよい。
【００２５】
本発明の読み取り装置において、前記センサ部は、物品の温度を検知する温度センサ、物品の湿度を検知する湿度センサ、あるいは物品に加えられた衝撃を検知する衝撃センサであり、前記センサ読み取り手段は、前記メモリに記録されたこれらのデータを読み取ることを特徴とする。
【００２６】
本発明は、また、物品に付された物品の識別情報を読み取る識別情報読み取り手段と、物品に付属された記録センサに記録されたデータを読み取るセンサ読み取り手段と、物品の外観を撮像する撮像手段と、を備え、前記記録センサから読み取ったデータ及び前記撮像データを、前記物品の識別情報と関連付けて記憶する読み取り装置と通信可能なサーバ装置であって、前記読み取り装置から受信した前記記録センサのデータ、前記撮像データ及び前記物品の識別情報を、関連付けて記憶するデータベースと、前記記録センサのデータに基づいて、物品の品質を評価するプログラムを備えていることを特徴とするサーバ装置を提供するものである。
【００２７】
これにより、物品に付属された前記記録センサのデータを物品ごとにモニタすることができるので、物品の品質劣化等の異常を素早く発見し、効率よく対処することが可能となる。
【００２８】
本発明は、また、物品の外観及び物品に付された物品の識別情報を撮像する撮像手段と、物品に付属された記録センサに記録されたデータを読み取るセンサ読み取り手段と、を備えたカメラ付き携帯端末であって、前記記録センサから読み取ったデータ及び前記撮像データを、前記物品の識別情報と関連付けて記憶することを特徴とするカメラ付き携帯端末を提供するものである。
【００２９】
本発明は、一般的に市販されているカメラ付き携帯端末において、上記のセンサ読み取り手段を備えるとともに、カメラ付き携帯端末内部において所定の動作をするための制御プログラムを含むことにより実施することが可能である。
【００３０】
本発明のカメラ付き携帯端末において、前記撮像手段は、物品に付された物品の識別情報を含むバーコードを撮像し、前記カメラ付き携帯端末は、バーコードの撮像データからバーコードに含まれる前記物品の識別情報を取得する画像処理プログラムを備えていることを特徴とする。
【００３１】
本発明は、また、物品の外観を撮像する撮像手段と、物品に付された物品の識別情報を読み取る識別情報読み取り手段と、物品に付属された記録センサに記録されたデータを読み取るセンサ読み取り手段と、を備えたカメラ付き携帯端末であって、前記記録センサから読み取ったデータ及び前記撮像データを、前記物品の識別情報と関連付けて記憶することを特徴とするカメラ付き携帯端末を提供するものである。
【００３２】
本発明のカメラ付き携帯端末において、前記識別情報読み取り手段は、バーコードリーダであり、物品に付された物品の識別情報を含むバーコードを読み取ることを特徴とする。
【００３３】
本発明のカメラ付き携帯端末は、ネットワークを通じてサーバと通信可能な通信手段をさらに備えており、前記記録センサから読み取ったデータ及び前記撮像データを、前記物品の識別情報と関連付けて、前記サーバに送信することを特徴とする。
【００３４】
各地で読み取り装置により取得される物品の状態に関するデータを前記サーバに集中させることにより、広範囲にわたって流通する物品の状態を一元的に管理することが可能となる。
【００３５】
本発明は、また、物品の外観及び物品に付された物品の識別情報を撮像する撮像手段と、物品に付属された記録センサに記録されたデータを読み取るセンサ読み取り手段と、を備えたカメラ付き携帯端末であって、前記記録センサから読み取ったデータ及び前記撮像データを、前記物品の識別情報と関連付けて記憶することを特徴とするカメラ付き携帯端末と通信可能なサーバ装置であって、前記カメラ付き携帯端末から受信した前記記録センサのデータ、前記撮像データ及び前記物品の識別情報を、関連付けて記憶するデータベースと、前記記録センサのデータに基づいて、物品の品質を評価する品質評価部を備えていることを特徴とするサーバ装置を提供するものである。
【００３６】
これにより、物品に付属された前記記録センサのデータを物品ごとにモニタすることができるので、物品の品質劣化等の異常を素早く発見し、効率よく対処することが可能となる。
【００３７】
上記した本発明の読み取り装置又はカメラ付き携帯端末と通信可能なサーバ装置において、前記品質評価部は、前記記録センサのデータに含まれる物品の温度データと、所定の保管温度基準とを比較して、物品の品質を評価することを特徴とする。
【００３８】
【発明の実施の形態】
以下、添付図面を参照しながら、本発明の実施の形態を詳細に説明する。
図１〜図９は、本発明の実施の形態を例示する図であり、これらの図において、同一の符号を付した部分は同一物を表わし、基本的な構成及び動作は同様であるものとする。
【００３９】
［第１実施形態］
本発明の第１実施形態は、物品の状態を検知し記録する記録センサと、この記録センサを読み取るガン形状の読み取り装置とから構成されるものである。
［１］  読み取り装置の構成
図１は、本実施形態の読み取り装置の構成を概略的に示す図であり、（ａ）は上面図、（ｂ）は側面図、（ｃ）は正面図である。図１において、本実施形態の読み取り装置は、本体部１００と、把持部１１０と、センサリーダユニット１２０と、カメラユニット１３０と、無線アンテナ１４０とから構成されている。
【００４０】
正面図（ｃ）に示すように、読み取り装置の本体部１００は、その正面（ここでは読み取り対象である物品に向けられる面を正面とする）において、バーコードリーダ１０２を備えている。バーコードリーダ１０２は、読み取り対象にレーザー光を照射する発光素子と、その反射光を受光する受光素子とを備えており、物品の梱包箱表面等に印字されたバーコードに赤色の可視光を照射し、その反射光を受光することにより、バーコードの情報を読み取ることができるようになっている。尚、バーコードリーダ１０２は上記の構成に限定されるわけではなく、一般的な赤外線方式又はレーザー方式のバーコードリーダに加えて、２次元バーコードリーダなどを用いることもできる。
【００４１】
また、本体部１００の下部に設置されたセンサリーダユニット１２０は、その正面において、無線通信部１２２を備えている。無線通信部１２２は、後述する本実施形態の記録センサと無線通信を行うためのものであり、例えば、赤外線を利用したＩｒＤＡ（Ｉｎｆｒａｒｅｄ  Ｄａｔａ  Ａｓｓｏｃｉａｔｉｏｎ）や、２．４ＧＨｚの周波数帯を利用したＢｌｕｅｔｏｏｔｈ、Ｕｌｔｒａ  Ｗｉｄｅ  Ｂａｎｄ、ＩＥＥＥ  ８０２．１１等の短距離無線通信規格を利用することができる。また、１２５ＫＨＺ帯の長波帯を利用することもできる。
【００４２】
さらに、センサリーダユニット１２０の下部に設置されたカメラユニット１３０は、その正面において、カメラ１３２及び発光部１３４を備えている。カメラ１３２は、携帯装置等に内蔵用の小型軽量カメラであり、例えば、約３０〜１００万画素のＣＣＤ（Ｃｈａｒｇｅ  Ｃｏｕｐｌｅｄ  Ｄｅｖｉｃｅ、エリア型固体撮像素子）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ、相補型金属酸化膜半導体）カメラなどを用いることができる。発光部１３４は、ＬＥＤ（Ｌｉｇｈｔ  Ｅｍｉｔｔｉｎｇ  Ｄｉｏｄｅ、発光ダイオード）などの発光素子から構成されており、カメラ１３２により撮像する対象に光を照射してフラッシュ撮影を可能にする。
【００４３】
上面図（ａ）に示すように、本体部１００は、その上面において、表示部１０４及びキーパッド１０６を備えている。表示部１０４は、ドットマトリクス構成のＬＣＤ（液晶ディスプレイ）、ＰＤＰ（プラズマディスプレイパネル）、有機ＥＬ（Ｅｌｅｃｔｒｏｎ  Ｌｕｍｉｎｅｓｃｅｎｃｅ）などの表示装置から構成することができる。キーパッド１０６は、ユーザが情報を入力するための複数のキーを備えており、キー表面には英数字等が印字されている。本体部１００の上面には、さらに、ＲＦ周波数帯・ＳＳ無線（スペクトラム拡散無線）などを利用して無線通信を行うための無線アンテナ１４０が備えられている。
【００４４】
側面図（ｂ）に示すように、本体部１００の下部には、ユーザが本装置を把持するための把持部１１０が取り付けられており、把持部１１０の上部にはトリガ１１２が備えられている。
【００４５】
図２は、図１に示す本実施形態の読み取り装置の内部構成を概略的に示す機能ブロック図である。尚、図２に示す各構成部分は、読み取り装置の本体部１００内部に備えられており、それぞれ、必要に応じて図１に示す読み取り装置の各構成部分と電気配線等で接続されているものとする。
【００４６】
図２において、本実施形態の読み取り装置は、制御部２０２、バーコード解析部２０４、センサリーダ無線通信部２０６、撮像部２０８、ＬＥＤ発光部２１０、電源部２１２、外部接続端子２１４、ＲＦ無線・ＳＳ無線通信部２１６、トリガ入力部２１８、キー入力部２２０、表示制御部２２２及び記憶部２２４を備えている。
【００４７】
制御部２０２は、ＣＰＵ等の演算処理装置から構成されており、予めプログラムされた通りに本読み取り装置の各構成部分の動作及び各構成部分間のデータ通信を制御する。
【００４８】
バーコード解析部２０４は、バーコードリーダ１０２で読み取ったバーコード情報を解析する。解析されたデータは記憶部２２４に記憶される。センサリーダ無線通信部２０６は、センサリーダユニット１２０の無線通信部１２２によるデータの送受信を行うためのインターフェイスである。
【００４９】
撮像部２０８は、カメラユニット１３０のカメラ１３２の動作を制御するとともに、カメラ１３２において撮像した画像データを取り込み所定の処理を行う。取り込まれた画像データは記憶部２２４に記憶される。ＬＥＤ発光部２１０は、カメラユニット１３０の発光部１３４の動作を制御する。
【００５０】
電源部２１２は、本読み取り装置の各構成部分に電源を供給するための内蔵型バッテリーである。尚、内蔵型バッテリーに代えて外部電源への接続端子を備える構成とすることもできる。
【００５１】
外部接続端子２１４は、本読み取り装置と他の装置とを接続するためのインターフェイスを備えており、例えば、ＩＥＥＥ１３９４、ＵＳＢ（Ｕｎｉｖｅｒｓａｌ  Ｓｅｒｉａｌ  Ｂｕｓ）、ＲＳ−２３２Ｃなどの規格を利用したケーブル接続を行うことができる。これにより、例えば、本読み取り装置内のデータを外部のパーソナルコンピュータなどに送信したり、外部からデータやプログラムなどを取得したりすることができる。
【００５２】
ＲＦ無線・ＳＳ無線通信部２１６は、無線アンテナ１４０を通じて無線周波数（ＲＦ）帯で無線通信を行うための信号変復調回路、パワーアンプ等を備えており、送信信号を無線周波数（ＲＦ）帯の信号に変調し、無線アンテナ１４０からの受信信号を復調する。
【００５３】
トリガ入力部２１８は、トリガ１１２が引かれたのを検知する。キー入力部２２０は、キーパッド１０６のキーが押されたのを検知し、入力情報として処理する。表示制御部２２２は、表示部１０４に必要な情報を表示するためのディスプレイドライバなどを備えている。
【００５４】
記憶部２２４は、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の半導体記憶素子から構成されており、制御部２０２の作業領域として利用される他、本読み取り装置において取り扱う各種データやプログラムを記憶しておくことができる。
【００５５】
［２］  記録センサの構成
図３は、本実施形態において用いる記録センサの構成を概略的に示す図である。
図３（ａ）に示す本実施形態の記録センサ３００は、ＩＣチップを埋設した縦５ｃｍ横８．５ｃｍ厚さ５ｍｍのカード状であり、アンテナ３０１、メモリ３０２、ＣＰＵ３０３、電池３０４及びセンサ部３１０を備えている。
【００５６】
アンテナ３０１は、図１に示す本実施形態の読み取り装置のセンサリーダユニット１２０の無線通信部１２２と無線通信を行うためのアンテナであり、赤外線を利用したＩｒＤＡ（Ｉｎｆｒａｒｅｄ  Ｄａｔａ  Ａｓｓｏｃｉａｔｉｏｎ）や、２．４ＧＨｚの周波数帯を利用したＢｌｕｅｔｏｏｔｈ、Ｕｌｔｒａ  Ｗｉｄｅ  Ｂａｎｄ、ＩＥＥＥ  ８０２．１１等の短距離無線通信規格に準じて構成されている。また、１２５ＫＨＺ帯などの長波帯でも構成可能である。
【００５７】
メモリ３０２は、センサ部３１０において検出したデータや、記録センサ３００とともに搬送される物品に関する情報（商品コード、生産工場、生産ライン、ロットＮｏ．、製造年月日、賞味期限、箱Ｎｏ．などを含むものとする。以下において同じ。）、ＣＰＵ３０３が利用するプログラム及び各種データ、その他の必要な情報を記憶している。
【００５８】
ＣＰＵ３０３は、メモリ３０２に記憶されたプログラムに従って記録センサ３００の各構成部分を制御する。電池３０４は、コンデンサ等から構成した２次電池であり、記録センサ３００の各構成部分に駆動電力を供給する。
【００５９】
センサ部３１０は、周囲の状態を検知するセンサであり、例えば、雰囲気中の温度を測定する温度センサ、あるいは雰囲気中の湿度を測定する湿度センサなどを備えている。センサ部３１０は、記録センサ３００本体とケーブルで接続されており、検知データを記録センサ３００本体に送信している。
【００６０】
また、記録センサ３００は、記録センサ３００本体とケーブル接続したセンサ部３１０に加えて、記録センサ３００本体部分にもセンサ部３１１を備えるようにしてもよい。記録センサ３００本体部分に備えたセンサ部３１１の例としては、記録センサ３００に加えられた衝撃を磁気変動検出方式や圧電式により検知する衝撃センサなどが考えられる。
【００６１】
尚、記録センサ３００のセンサ部３１０に関しては、上記した構成に限定されるものではなく、例えば、図３（ｂ）に示すように、センサ部３１０及び３１１を、ともに記録センサ３００本体部分に備える構成とすることもできる。
【００６２】
記録センサ３００のＣＰＵ３０３は、センサ部３１０から受信した検知データを所定の形式でメモリ３０２に記憶する。したがって、メモリ３０２には、センサ部３１０において検知した温度・湿度データや、センサ部３１１において検知した衝撃データを、経時的な履歴データとして記録していることになる。
【００６３】
図４は、上記した記録センサ３００を物品とともに梱包する態様を例示する図である。
図４に示す例では、梱包箱４００は１２個の商品パッケージ４０１を含んでいる。梱包箱４００内の上部内壁には、上記した記録センサ３００を設置している。また、記録センサ３００のセンサ部３１０を商品パッケージ４０１の間に配置している。
【００６４】
このようにして、記録センサ３００は、梱包箱４００内の商品パッケージ４０１の状態を検知し記録することができる。また、記録センサ３００のアンテナ３０１により、図１に示す本実施形態の読み取り装置と無線通信を行うことができる。
【００６５】
尚、図４に示す梱包箱４００内の記録センサ３００及びセンサ部３１０の配置は一例に過ぎず、これらの設置位置、設置数等については、様々な態様が考えられる。物品の種類によってもパッケージの形態や梱包方法が異なるので、これに適応しやすいように記録センサ３００及びセンサ部３１０を配置する。
【００６６】
［３］  読み取り装置による記録センサの読み取り
次に、図５を参照しながら、上記した本実施形態の読み取り装置（図１参照）により記録センサ（図３参照）を読み取る動作について説明する。尚、図４に示すように、記録センサは搬送物品とともに梱包箱内に梱包されている状態であるもとのする。また、図５に示すように、梱包箱４００の表面には、梱包されている物品に関する情報や搬送先、荷主などの情報を記録したバーコード４１０が貼り付けられている。尚、図５では、バーコード４１０は、一般的な縦縞形状の１次元としているが、これに代えて２次元バーコードを用いることもできる。
【００６７】
今、図５に示す状態において、ユーザが読み取り装置の本体部１００のバーコードリーダ１０２を梱包箱４００表面のバーコード４１０に近づけると、バーコードリーダ１０２はバーコード４１０を読み取ることができる。
さらに、ユーザが読み取り装置のトリガ１１２を引くと、センサリーダユニット１２０及びカメラユニット１３０は、それぞれ、以下の読み取り動作を行う。
【００６８】
センサリーダユニット１２０は、無線通信部１２２により、梱包箱４００内の記録センサ３００に対して読み取り動作を行う。このとき、記録センサ３００のメモリ３０２に記録されているデータが無線通信部１２２を通じて読み取り装置内に取得されることになる。また、その時点での瞬間温度情報もモニタリングできる。
【００６９】
カメラユニット１３０は、必要に応じて発光部１３４を発光させながら、カメラ１３２により画像を撮像する。尚、読み取り装置本体部１００上面の表示部１０４において、カメラ１３２による撮像野及び撮像対象範囲を表示するようにすれば、ユーザが撮像位置やピントを合わせて撮像することが容易となる。
【００７０】
上記した各読み取り動作により、梱包箱４００表面のバーコード４１０に記録された梱包物品に関する情報、物品と同梱されている記録センサ３００に記録されているデータ、及び梱包箱４００の外観の撮像データが読み取り装置内に取得されることになる。
【００７１】
図６及び図７は、読み取り装置本体部１００上面の表示部１０４において読み取った情報を表示する態様を例示する図である。これらの表示は、ユーザが読み取り装置上面のキーパッド１０６を操作することにより、適宜表示させることができるものである。
【００７２】
図６において、表示部１０４には、読み取り対象である物品の商品コード、商品名、現在の温度・温度測定場所及び温度履歴情報が表示されている。ここで、物品の商品コード及び商品名は、バーコード４１０から読み取った情報であり、現在の温度及び温度履歴情報は記録センサ３００から読み取った情報である。ユーザは、この表示により、流通過程において物品が適切な温度管理下にあったかどうかを判断することが可能である。
【００７３】
尚、温度履歴情報の表示においては、所定の基準温度を超えた期間があった場合には、赤字で警告表示をするなどの機能を備えている。また、図６の例では、温度記録データを表として表示しているが、グラフ表示など他の表示態様を用いることも当然できる。表示する情報が表示部１０４の画面に収まらない場合には、キーパッド１０６を操作して画面をスクロールしたり切り替えたりできるようにすればよい。
【００７４】
一方、図７において、表示部１０４には、読み取り対象である物品の商品コード及び商品名とともに、物品の梱包箱の撮像データが表示されている。ここで、物品の商品コード及び商品名は、バーコード４１０から読み取った情報であり、撮像データはカメラユニット１３０により物品梱包箱の外観を撮像したものである。ユーザは、この表示により、読み取り動作を行った時点（すなわち、物品の搬入・搬出時など）での物品梱包箱の状態を確認することができる。例えば、冷凍保管される物品や状態変化が起こりやすい物品などを扱う場合には、梱包箱の一部が水分などを含んだり、衝撃で変形したりすることにより、図７に示すように異常状態が視覚的に観察されることがあるので、ユーザは撮像データを観察することによりこれを発見することができる。
【００７５】
尚、図６及び図７に示した表示態様は例示に過ぎず、本実施形態の読み取り装置によって読み取ったバーコードのデータ、記録センサのデータ及び撮像データは、表示部１０４に任意の形態で表示することができる。これらの表示態様は、読み取り装置の記憶部２２４に予めプログラムしておくものとする。
【００７６】
また、図５では、搬送物品の梱包箱を単位として読み取りを行う動作を示しているが、本実施形態はこれに限定されるものではなく、例えば、物品のパッケージ単位で読み取りを行うようにしてもよい。この場合には、各パッケージ表面にバーコードを印字しておくとともに、微小チップ化した記録センサをパッケージ付随させておけばよい。
【００７７】
［４］  サーバシステムの構成
本実施形態では、さらに、上記したように読み取り装置で搬送物品の記録センサ等の読み取りを行った後に、読み取ったデータをサーバに送信することにより、搬送物品の状態に関するデータをサーバにおいて一元的に管理することができる。
【００７８】
読み取り装置とサーバとの通信形態については、図１０及び図１１に示す従来のシステムと同様に構成することができる。すなわち、読み取り装置は、無線アンテナ１４０により、アクセスポイントと無線通信を行うことができるようになっている。アクセスポイントはネットワークを通じてサーバに接続されており、したがって、読み取り装置は、搬送物品から読み取って記録してあるバーコードデータ、記録センサのデータ及び撮像データをサーバに送信することができるようになっている。
【００７９】
サーバは、読み取り装置から受信した各種データを記憶し管理するためのデータベースと、データベースに記憶した各種データの解析を行うための管理プログラムと、アクセスポイントやクライアント装置との通信を行うためのネットワークインターフェイスとを備えている。
【００８０】
搬送物品の荷主等であるクライアントは、クライアント装置によりサーバにアクセスしてデータベースの内容を閲覧することができるので、搬送物品が流通過程において適切に管理されていたかを確認することができる。このとき、クライアント装置の表示装置には、図６及び図７に示したのと同様な画面が表示されるようにすることができる。
【００８１】
サーバは、また、上記管理プログラムにより、各搬送物品ごとに、読み取り装置から受信したに基づいて、品質劣化等が起こっていないかどうかなどを判定しその結果を表示し、あるいはクライアント装置等に通知することができる。品質の評価については、物品の温度データと、所定の保管温度基準とを比較することにより行うことができる。
【００８２】
以上説明したように、本実施形態の読み取り装置及び記録センサを用いれば、流通過程における搬送物品の状態を経時的な履歴情報として記録することができ、また、物品の搬入・搬出時には、その情報を簡易な動作で読み取ることができる。また、読み取り装置において読み取ったデータを表示するのみならず、サーバにデータを送信することにより、データの一元管理及び品質劣化等の自動判定などを行うことも可能となる。
【００８３】
［第２実施形態］
本発明の第２実施形態は、物品の状態を検知し記録する記録センサと、この記録センサを読み取る携帯端末式の読み取り装置とから構成されるものである。
［１］  読み取り装置及び記録センサの構成
図８は、本実施形態の読み取り装置を内蔵した携帯端末の構成を概略的に示す図であり、（ａ）は正面図、（ｂ）は背面図である。図８において、携帯端末８００は、本体上部８１０と本体下部８３０とから構成されている。
【００８４】
正面図（ａ）において、携帯端末８００の本体上部８１０は、表示部８１２及びアンテナ８１４を備えており、本体下部８３０はキーパッド８３２を備えている。背面図（ｂ）において、携帯端末８００の本体上部８１０は、カメラ８１６、発光部８１８及び無線通信用内蔵アンテナ８２２を備えている。
【００８５】
本実施形態において、表示部８１２、アンテナ８１４、キーパッド８３２、カメラ８１６及び発光部８１８は、一般的な携帯端末の構成要素として機能するほか、それぞれが上記した第１実施形態の読み取り装置における表示部１０４、無線アンテナ１４０、キーパッド１０６、カメラ１３２及び発光部１３４と同様な機能を備えており、同様に動作するものとする。
【００８６】
また、無線通信用内蔵アンテナ８２２は、携帯端末８００内部に埋設されたコイル状のアンテナであり、第１実施形態の読み取り装置における無線通信部１２２と同様に、後述する記録センサとの無線通信を行うことができるようになっている。
【００８７】
携帯端末８００の内部構成については、一般的な携帯端末の内部構成を備えているほか、図２に示した第１実施形態の読み取り装置の内部構成と同様な構成要素を備えているものとする。
【００８８】
一方、本実施形態において用いる記録センサは、図３に示す第１実施形態の記録センサ３００と同様のものであるので、ここでは説明を省略する。また、本実施形態において、記録センサを物品とともに梱包する方法についても、図４に示す第１実施形態の例と同様である。
【００８９】
［２］  読み取り装置による記録センサの読み取り
図９は、図８に示す本実施形態の読み取り装置を内蔵した携帯端末８００により、記録センサ（図３参照）を読み取る動作を概略的に示す図である。尚、図４に示すように、記録センサは搬送物品とともに梱包箱に梱包されている状態であるもとのする。また、図９に示すように、梱包箱４００の表面には、梱包されている物品に関する情報や搬送先、荷主などの情報を記録したバーコード４１０が貼り付けられている。
【００９０】
今、図９に示す状態において、ユーザが携帯端末８００のキーパッド８３２を操作することにより、必要に応じて発光部８１８を発光させながら、カメラ８１６は梱包箱４００の画像を撮像することができる。このとき、携帯端末８００の表示部８１２において、カメラ８１６による撮像野及び撮像対象範囲を表示するようにすれば、ユーザが撮像位置やピントを合わせて撮像することが容易となる。
【００９１】
梱包箱４００の外観の撮像とともに、あるいは別の撮像データとして、梱包箱４００表面のバーコード４１０を撮像しておき、この撮像データを画像処理することにより、バーコード４１０に含まれる情報を携帯端末８００に取得することができる。
【００９２】
また、ユーザが携帯端末８００のキーパッド８３２を操作することにより、内蔵アンテナ８２２は、梱包箱４００内の記録センサ３００に対して読み取り動作を行うことができる。このようにして、記録センサ３００のメモリ３０２に記録されているデータが携帯端末８００に取得され、携帯端末８００内のメモリ等に記憶されることになる。
【００９３】
上記した各読み取り動作により、梱包箱４００表面のバーコード４１０に記録された梱包物品に関する情報、物品と同梱されている記録センサ３００に記録されているデータ、及び梱包箱４００の外観の撮像データが携帯端末８００内のメモリ等に取得されたことになる。
【００９４】
上記において携帯端末８００内に取得した情報は、第１実施形態と同様に、ユーザのキーパッド操作などに応じて、携帯端末８００の表示部８１２において所定の形式で表示することができる。すなわち、図６に示すような温度履歴情報や、図７に示すような物品梱包箱の外観の撮像データを、物品に関する情報と関連付けた上で、表示部８１２において表示することが可能である。
【００９５】
尚、カメラ８１６による撮像は、カメラ自体の性能や、明るさなどの撮像条件によっては、撮像データの画質が悪くなってしまい、梱包箱４００表面のバーコード４１０を撮像しても撮像データからバーコードを解析できない場合があると考えられる。このような問題に対処するために、携帯端末８００の本体上部８１０背面において、第１実施形態の読み取り装置におけるバーコードリーダ１０２と同様の構成を有するバーコードリーダ８２０を備えておくこともできる。
【００９６】
［３］  サーバシステムの構成
本実施形態では、第１実施形態と同様に、上記において携帯端末８００に読み取ったデータをサーバに送信することにより、搬送物品の状態に関するデータをサーバにおいて一元的に管理することができる。
【００９７】
携帯端末８００とサーバとの通信形態については、図１０及び図１１に示す従来のシステム同様に、無線アクセスポイントを経由する形態を利用できるほか、携帯端末８００のアンテナ８１４よりキャリア網に接続し、さらにインターネットを介してサーバとの通信を行うものであってもよい。ここで、キャリア網とは、携帯電話会社などが提供する携帯端末用のデータ通信網のことであり、例えば、ＮＴＴ  Ｄｏｃｏｍｏ社が提供するｉ−ｍｏｄｅ（登録商標）やＤｏｐａなどを利用することができる。
【００９８】
尚、サーバの構成及び機能や、サーバとクライアント装置との通信についても、第１実施形態において説明したのと同様の構成をとることができる。
【００９９】
以上、本発明の読み取り装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【０１００】
【発明の効果】
以上、説明したように、本発明の記録センサ及び読み取り装置によれば、流通過程に置かれた物品の状態をリアルタイムで記録センサに記録するとともに、物品の搬入・搬出時などにおいて読み取り装置で記録センサの記録データを読み取ることにより、物品の現在の状態のみならず、保管・搬送中における物品の状態の経時的な履歴情報を得ることが可能となる。
【０１０１】
また、上記読み取り装置とネットワークを通じて通信可能なサーバを備えることにより、読み取り装置が読み取ったデータをサーバに受信し、このデータに基づいて物品の品質を管理することができる管理システムが提供される。
【図面の簡単な説明】
【図１】本発明の第１実施形態にかかる読み取り装置の構成を概略的に示す図であり、（ａ）は上面図、（ｂ）は側面図、（ｃ）は正面図である。
【図２】図１に示す読み取り装置の内部構成を概略的に示す機能ブロック図である。
【図３】本発明の第１実施形態において用いる記録センサの構成を概略的に示す図である。
【図４】図３に示す記録センサ３００を物品とともに梱包する態様を例示する図である。
【図５】図１に示す読み取り装置により図３に示す記録センサを読み取る態様を例示する図である。
【図６】図１に示す読み取り装置の表示部において読み取った情報を表示する態様を例示する図である。
【図７】図１に示す読み取り装置の表示部において読み取った情報を表示する態様を例示する図である。
【図８】本発明の第２実施形態に係る読み取り装置を内蔵した携帯端末の構成を概略的に示す図であり、（ａ）は正面図、（ｂ）は背面図である。
【図９】図８に示す読み取り装置を備えた携帯端末８００により図３に示す記録センサを読み取る態様を示す図である。
【図１０】従来用いられていた物品の状態を検査するための装置類及びこれを含んだシステムの構成を概略的に示す図である。
【図１１】従来用いられていた物品の状態を検査するための装置類及びこれを含んだシステムの構成を概略的に示す図である。
【符号の説明】
１００      本体部
１０２      バーコードリーダ
１０４      表示部
１０６      キーパッド
１１０      把持部
１１２      トリガ
１２０      センサリーダユニット
１２２      無線通信部
１３０      カメラユニット
１３２      カメラ
１３４      発光部
１４０      無線アンテナ
２０２      制御部
２０４      バーコード解析部
２０６      センサリーダ無線通信部
２０８      撮像部
２１０      発光部
２１２      電源部
２１４      外部接続端子
２１６      ＲＦ無線・ＳＳ無線通信部
２１８      トリガ入力部
２２０      キー入力部
２２２      表示制御部
２２４      記憶部
３００      記録センサ
３０１      アンテナ
３０２      メモリ
３０４      電池
３１０      センサ部
３１１      センサ部
４００      梱包箱
４０１      商品パッケージ
４１０      バーコード
８００      携帯端末
８１０      本体上部
８１２      表示部
８１４      アンテナ
８１６      カメラ
８１８      発光部
８２０      バーコードリーダ
８２２      内蔵アンテナ
８３０      本体下部
８３２      キーパッド
１０１０    梱包箱
１０１２    バーコード
１０２０    ハンディターミナル
１０２２    表示部
１０２４    キーパッド
１０３０    放射温度計
１０３２    表示部
１０３４    記録用紙
１０４０    アクセスポイント
１０５０    通信ネットワーク
１０６０    サーバ
【図１】
2004345826.tif 000003
【図２】
2004345826.tif 000004
【図３】
2004345826.tif 000005
【図４】
2004345826.tif 000006
【図５】
2004345826.tif 000007
【図６】
2004345826.tif 000008
【図７】
2004345826.tif 000009
【図８】
2004345826.tif 000010
【図９】
2004345826.tif 000011
【図１０】
2004345826.tif 000012
【図１１】
2004345826.tif 000013